(57)【特許請求の範囲】
【請求項１】
飲料容器用のカートンであって、
該カートンは、折り曲げ可能に接続されスリーブを形成するための一連の折り曲げ可能パネルと、少なくとも１つの前記折り曲げ可能パネルに折り曲げ可能に接続され前記スリーブの両端を少なくとも部分的に閉鎖する端パネルとを備え、
該カートンは、該カートンを携行可能とする把手手段を備え、
該把手手段は、端パネルに接続されかつ把持部分を備えた帯材を有し、
前記把持部分は、保管状態では前記１つの折り曲げ可能パネルと略面一の関係にあり、
前記帯材の両端部は、前記把持部分を把持位置にもって行くためのたるみができるように前記端パネルに接続されており、
前記帯材の前記両端部は、前記端パネルの内方変位部分に取り付けられ、前記把持部分と前記両端部との間に位置する中間部分は前記１つの折り曲げ可能パネルに取り付けられず、かつ、拘束されずに前記たるみを提供することを特徴とするカートン。
【請求項２】
前記１つの折り曲げ可能パネルは、使用者による前記帯材の前記把持部分へのアクセスを可能とする着脱可能部分を備え、
該着脱可能部分は、前記１つの折り曲げ可能パネルに着脱可能に接続された前記１つの折り曲げ可能パネルの所定部分を含み、
前記帯材の前記把持部分は、前記１つの折り曲げ可能パネルの前記所定部分に固定されていることを特徴とする請求項１に記載のカートン。
【請求項３】
前記内方変位部分はそれぞれ段差部を備え、該段差部の水平面は端パネルから形成され、該段差部の垂直面は前記１つの折り曲げ可能パネルから形成され、前記段差部は、該カートンの該段差部側に位置する製品の上部間に配置されて製品上部間の安定化スペーサを構成していることを特徴とする請求項１または２に記載のカートン。
【請求項４】
前記帯材の前記把持部分は、前記１つの折り曲げ可能パネルの一部に接着されていることを特徴とする請求項１から３のいずれか１項に記載のカートン。
【請求項５】
前記把持部分の一部は、前記１つの折り曲げ可能パネルの一部から形成されていることを特徴とする請求項１から４のいずれか１項に記載のカートン。
【請求項６】
前記安定化スペーサは、前記端パネルが保持位置に折り曲げられた際に、自動的に使用位置に配置されることを特徴とする請求項３から５のいずれか１項に記載のカートン。
【請求項７】
前記安定化スペーサは、一対の端折り曲げ線の間に中間折り曲げ線を備えかつ前記端折り曲げ線によって前記１つの折り曲げ可能パネルと前記端パネルとに折り曲げ可能に接続され、前記安定化スペーサは、前記端パネルが保持位置に折り曲げられた際に、前記端折り曲げ線及び中間折り曲げ線に沿ってトグル作用によって折り曲げられることを特徴とする請求項６に記載のカートン。
【発明の詳細な説明】
【０００１】
【発明の属する技術分野】
本発明はカートンに係り、特に缶などの飲料容器（但し、これに限定されない）の収容に適し、“帯状”携行用把手を備え、該携行用把手が装填後のカートン組立て時に自動的に携行位置にセットされるカートンに関するものである。
【０００２】
【従来の技術】
携行用把手、特に帯状携行用把手を備えた飲料容器用カートンは公知である。例えば、米国特許第4,166,570号（Lazerandらに付与）は、帯状の把手を備えた飲料缶用包装カートンを開示している。帯状把手は、カートンの頂壁に設けられた把手用開口部内に覗く把持部分を有し、頂壁を横断して延在し、頂壁に折り曲げ可能に接続された一対の閉鎖フラップにおいてそれぞれ終端する両端部を備えている。帯状把手は、例えば繊維質テープといった補強材料からなる別体の帯材によって補強されている。
【０００３】
本発明米国特許第5,738,273号は、帯状把手を有するタイプのカートンを開示している。帯状把手は、カートンを構成するブランクの一端部の材料から形成された帯材によって補強されている。帯状把手は一対の端パネルに接続され、かつ把手用開口部内に覗く把持部を有している。把持部以外の部分はカートンの内部に配置されている。
【０００４】
カートンは、装填のために端部が開口したスリーブとして組み立てられ、開口端部から装填を行った後、端パネルを閉じてカートンを完成させる。端パネルを閉じることによって帯状把手が影響を受ける。つまり、頂端パネルを閉鎖位置に折り曲げると、帯状把手にたるみができ、把持可能な状態になる。帯状把手の把持部でカートンを持ち上げると、帯状把手は上方に向けて弓形に曲り、把手用開口部を突き抜けて頂壁から盛り上がる。負荷は、帯状把手から把手用開口部の両端部を通じて頂壁へと伝達され、頂壁を通じて分配される。
【０００５】
【発明が解決しようとする課題】
例えば、西洋梨形状に形成された瓶を包装する場合、従来のカートンでは、カートン内における製品の動きを最小にするほど十分な支持がなされないという問題があった。
【０００６】
本発明は、従来技術が有する上記問題点を解消するか、または少なくとも軽減するためになされたものである。
【０００７】
【課題を解決するための手段】
本発明の特徴によれば、飲料容器用のカートンであって、該カートンは、折り曲げ可能に接続されスリーブを形成するための一連の折り曲げ可能パネルと、少なくとも１つの前記折り曲げ可能パネルに折り曲げ可能に接続され前記スリーブの両端を少なくとも部分的に閉鎖する端パネルとを備え、該カートンは、該カートンを携行可能とする把手手段を備え、該把手手段は、前記端パネルに接続されかつ把持部分を備えた帯材を有し、前記把持部分は、保管状態では前記１つの折り曲げ可能パネルと略面一の関係にあり、前記帯材の両端部は、前記把持部分を把持位置にもって行くためのたるみができるように前記端パネルに接続されている。
【０００８】
本発明による選択的特徴によれば、前記帯材の前記両端部は、前記端パネルの内方変位部分に取り付けられ、前記把持部分と前記両端部との間に位置する中間部分は前記１つの折り曲げ可能パネルに取り付けられず、かつ、拘束されずに前記たるみを提供する。
【０００９】
本発明による他の選択的特徴によれば、前記内方変位部分はそれぞれ段差部を備え、該段差部の水平面は端パネルから形成され、該段差部の垂直面は前記１つの折り曲げ可能パネルから形成され、前記段差部は、該カートンの該段差部側に位置する製品の上部間に配置されて製品上部間の安定化スペーサを構成している。
【００１０】
本発明によるさらなる選択的特徴によれば、前記帯材の前記把持部分は、前記１つの折り曲げ可能パネルの一部に接着されている。
【００１１】
本発明による他の選択的特徴によれば、前記把持部分は、前記１つの折り曲げ可能パネルの一部から形成されている。
【００１２】
本発明によるさらなる選択的特徴によれば、前記安定化スペーサは、前記端パネルが保持位置に折り曲げられた際に、自動的に使用位置に配置される。
【００１３】
本発明による他の選択的特徴によれば、前記安定化スペーサは、一対の端折り曲げ線の間に中間折り曲げ線を備えかつ前記端折り曲げ線によって前記１つの折り曲げ可能パネルと前記端パネルとに折り曲げ可能に接続され、前記安定化スペーサは、前記端パネルが保持位置に折り曲げられた際に、前記端折り曲げ線及び中間折り曲げ線に沿ってトグル作用によって折り曲げられる。
【００１４】
本発明によるさらなる特徴によれば、一群にまとめられた複数の製品を保持するためのカートンであって、該カートンは、折り曲げ可能に相互接続されて筒体を形成する、頂壁と、対向配置された側壁と、底壁とを備え、前記側壁の少なくとも１つは、該側壁面から突出し隣接する製品を部分的に受容する変位可能領域を備え、該変位可能領域は互いに連結された複数の部分を有し、該複数の部分のそれぞれは、隣接する部分とは異なる平面内に配されている。
【００１５】
本発明による他の選択的特徴によれば、前記複数の部分は、複数対の弧状切断線により形成されている。
【００１６】
本発明によるさらなる選択的特徴によれば、前記側壁はさらに、該側壁から切り出された製品支持パネルを備え、該製品支持パネル内には前記複数の部分を形成するための複数の弧状切断線が形成され、該切断線は略垂直面に配置されている。
【００１７】
本発明によるさらなる特徴によれば、例えば西洋梨型瓶のような成形体部分を含む複数の製品を収容するカートンを形成するためのカートンブランクであって、該カートンブランクは、折り曲げ可能に相互接続された、頂壁と、対向配置された側壁と、底壁とを備え、前記側壁は、前記カートンが組み立てられた際に前記製品の前記成形体部分を受容するように構成された部分を有し、この部分は相互離間配置された複数の弧状切断線を備えている。
【００１８】
【発明の実施の形態】
以下、本発明の実施形態について図面を参照しながら詳細に説明する。
【００１９】
まず、図１，図２を参照する。製品携行器は、板紙またはその他適切な折り曲げ可能シート材からなる単一のブランク１０から形成され、例えば３本の瓶を２列に配置して６本にまとめたような、種々の製品を収容するように適合させることができる。消費者の要求に応じて、携行器が別の数の瓶を収容するように適合させることもできる。図１に示すカートンブランク１０に戻って説明を続けると、このブランクは、第１底パネル１２と、傾斜角部パネル１４と、下部側面パネル１６と、上部側面パネル１８と、肩パネル２０と、頂パネル２２と、第２肩パネル２４と、第２上部側面パネル２６と、第２下部側面パネル２８と、傾斜角部パネル３０と、第２底パネル３２とが、それぞれ折り曲げ線３４，３６，３８，４０，４２，４４，４６，４８，５０に沿って折り曲げ可能であるようにこの順に接続されて、形成されている。
【００２０】
包装紙として一群の製品を取り巻いて締め付けるために、底パネル１２には複数の締付け用開口部５８が形成され、第２底パネル３２には同様に複数の締付け用開口部６０が形成されている。周知であるように、包装紙を一群の製品の周りに配置し、底パネル１２と３２とを互いにオーバーラップさせた状態で、装置部材を締付け用開口部５８，６０に挿入して互いに他方に向けて動かし、包装紙を一群の製品周りに締め付ける。包装紙の締付けが完了した後、保持用タブ６４によってそれぞれ形成される複数のロック用タブ６２を、複数の開口部に貫通させることによって包装紙をロック状態にする。ロック用タブ６２及び保持用タブ６４の形態は周知であり、またロック工程も周知である。
【００２１】
製品支持保持手段６６は、それぞれ対応する傾斜角部パネル１４，３０及び底パネル１２，３２から切り出された一連の製品保持用フラップ６８，７０，７２，７４，７６，７８を備えている。製品支持保持手段はさらに、それぞれ対応する下部側面パネル１６，２８から切り出された一連の製品支持パネル８０，８２，８４，８６，８８，９０を備えている。製品支持パネル８０〜９０及び製品保持用フラップ６８〜７８は、それぞれ同一であるので、ここでは製品支持パネル８０及び製品保持用フラップ６８のみを取り上げ、図２を参照しながら詳細に説明する。
【００２２】
本実施形態では、製品保持用フラップ６８は、折り曲げ線９６，９８に沿って折り曲げ可能に傾斜角部パネル１４に接続され対向配置された一対のフラップ９２，９４を備えている。折り曲げ線９６及び９８は上方に向けて収束していると好ましい。フラップ９２，９４はそれぞれ、底パネル１２の自由端部に向かって収束している折り曲げ線１００及び１０２に沿って底パネル１２にも接続されている。折り曲げ線９６，９８と、折り曲げ線１００，１０２とは、不連続折り曲げ線３４において交差することが好ましい。切断線１０４が隣接するフラップ９２，９４を分離する。折り曲げ線３４と折り曲げ線１００，９６との交点及び折り曲げ線３４と折り曲げ線１０２，９８との交点から、切断線１０４へとそれぞれ延在するさらなる一対の折り曲げ線１０６，１０８を設けてもよい。
【００２３】
フラップ９２，９４の下端部は締付け用開口部５８を構成し、フラップ９２，９４の上端部は製品角部受容開口部１１０へと延在している。製品角部受容開口部１１０は傾斜角部パネル１４を部分的に切り抜いて形成され、下部側面パネル１６へと延在している。図２に示す実施形態では、製品角部受容開口部１１０は、不連続な下部側面パネル１６の対向する側縁部を連結して形成された製品支持パネル８０によってさえぎられている。
【００２４】
製品支持パネル８０は、好ましくは弧状に形成された一連の切断線１１２，１１４を有している。すなわち、切断線１１２，１１４の各セットは、製品支持パネル８０の上端部１１５と下端部１１６との中間点から延在する概念的な中心線の両側に離隔して配置されている。本実施形態においては、各セットは４本の切断線１１２及び１１４から構成されているが、突出量を増大させるために切断線を増やすこと、または、突出量を減少させるために切断線を減らすことも考えられる。このように、切断線１１２，１１４の数を増やしたり減らしたりすることによって、本発明の範囲から逸脱することなく、種々の形状及び種々のサイズの製品を梱包することができる。実際には、切断線１１２，１１４は変位可能領域を形成するものであり、これについては追って説明する。
【００２５】
再び図１に示すブランクの構成に戻って説明すると、ブランクはさらに、それぞれ不連続折り曲げ線１２２及び１２４に沿って頂パネルに折り曲げ可能に接続され、頂パネル２２の長手方向縁部に沿って配置された一対の対向する端パネル（または“広告パネル”）１１８，１２０を備えている。頂パネルの各端部及び端パネル１１８，１２０の構成はそれぞれ同様であるので、頂パネルの一方に位置する部材の符号は、他方に位置する部材の符号に添え字“ａ”を付して示している。端パネル１１８の主要部分１２６は、長手方向折り曲げ線１２２に沿って、近接する頂パネルに折り曲げ可能に接続され、頂パネルの一端部を構成している。
【００２６】
端パネル１１８はまた、折り曲げ線１２２に沿って折り曲げ可能に互いに接続されかつ上部側面パネル１８及び肩パネル２０から外方に延在するガセットパネル１２８及び１３０を備えている。ガセットパネル１２８は、開口部１３４から延在して折り曲げ線４０と交差する折り曲げ線１３２に沿って肩パネル２０に接続されている。図１に示すように、切断線１３６はガセットパネル１２８の下端部を形成し、折り曲げ線４０と１３２との交点から外方に延在している。ガセットパネル１３０は、左右方向折り曲げ線１３８によって主要部分１２６に接続されている。ガセットパネル１３０は、角部形成部によって主要部分１２６から分離配置可能である。例えば、角部形成部は、折り曲げ線１４４，１４６によって互いに折り曲げ可能に接続され、かつ折り曲げ線１３８によってガセットパネル１３０に折り曲げ可能に接続されて略湾曲した角部を形成する一連のパネル部分１４０，１４２を備えている。
【００２７】
同様に、端パネル１１８の対向する角部は、折り曲げ線１２２に沿って折り曲げ可能に互いに接続され上部側面パネル２６及び肩パネル２４から外方に延在するガセットパネル１４８，１５０を備えた端パネル１１８から形成される。ガセットパネル１４８は、開口部１５４から折り曲げ線４６との交点へと延在する折り曲げ線１５２に沿って肩パネル２４に接続されている。図１に示すように、切断線１５６はガセットパネル１４８の下端部を形成し、折り曲げ線４６と１５２との交点から外方に延在している。ガセットパネル１５０は、左右方向折り曲げ線１５８によって主要部分１２６に接続されている。ガセットパネル１５０は、角部形成部によって主要部分１２６から分離配置可能である。例えば、角部形成部は、折り曲げ線１６４，１６６によって互いに折り曲げ可能に接続され、かつ折り曲げ線１５８によってガセットパネル１５０に折り曲げ可能に接続されて略湾曲した角部を形成する一連のパネル部分１６０，１６２を備えている。
【００２８】
一実施形態では、図１に示す安定化フラップ（または瓶ネック部スペーサ）１６８は、一部がブランクの頂パネル２２から切り出され、また一部が端パネル１１８の主要部分から切り出され、こうしてフラップ１６８は、端折り曲げ線１７０，１７２によりそれぞれのパネルに対して折り曲げ可能に接続されている。折り曲げ線以外の部分はブランクから切り出されている。フラップ１６８は、好ましくはトレッドパネル１７４と立ち上げパネル１７６とを備え、これらパネルは中間折り曲げ線１７８に沿って互いに接続され、カートン組立ての際に段差部（または竜骨部材）を形成する。
【００２９】
頂パネル２２にはさらに、切り取り可能に頂パネル２２に接続された把持部分１８０を設けることができる。本実施形態では、把持部分１８０は略矩形形状であり、頂パネル２２から切り出され折り曲げ線１８６，１８８に沿ってそれぞれ把持部分の側縁部に接続された一対の支持パネル１８２，１８４を備えている。加えて、図３ａに示す帯状把手１９０をブランク１０の内面に取り付けることもできる。帯状把手１９０は、接着剤またはその他周知の手段によって、把持部分１８０と、端パネルの対向する主要部分１２６，１２６ａとに固定される。図３ａに示すように、帯状把手１９０は、各段差部のトレッドパネル１７４，１７４ａにも接着されることが好ましい。帯状把手を、板紙、積層板紙、繊維質テープ、またはその他の適当なプラスチック材から形成するとさらに好ましい。
【００３０】
次に、カートンの組立てについて説明する。図３ｂ、図４，図５ａ，５ｂ，５ｃ，５ｄに示すように、ブランクには、順序立てた一連の折り曲げ作業及び接着作業を行う必要がある。これらの作業は直線状に配置された組立機で行うことができ、カートンを完成させるためにカートンを回転させたり反転させたりする必要はない。折り曲げ工程は以下に説明するものに限定されるわけではなく、特定の製造要求に従って変更が可能である。
【００３１】
まず製品Ａを、３つの製品Ａが２列に並んだ状態にまとめ、カートンブランクを製品Ａに付与する。本実施形態では、ブランクは上方から付与する。次いで、ブランクの肩パネル２０，２４及び側パネル１６，１８，２６，２８をそれぞれ折り曲げ線４２及び４４に沿って折り曲げて、側パネルを頂パネル２２から下方及び外方に向けて適切に傾け、端パネルを組み立てる。
【００３２】
包装折り曲げ工程によって形成されたスリーブの両端縁において、端パネル１１８及び１２０を下方に向けて折り曲げる。同時に、ガセットパネル１２８，１３０及び１４８，１５０を折り曲げ線１３２，１５２，及び１２２に沿って折り曲げて、ガセットパネル１２８，１４８がそれぞれ肩パネル２０，２４と対面状態となるようにする。パネルは図３ｂに示す組立段階にある。次いで、側パネル１８，２６の折り曲げを継続し、第２のガセットパネル１３０，１５０を、それぞれ対応する第１のガセットパネル１２８，１４８に対面接触させる。上記折り曲げ工程の際に角部形成も行う。すなわち、パネル部分１４０，１６０を折り曲げて隣接するパネル部分１４２，１６２と異なる面内に配置し、図３ｂに示す略湾曲した角部を形成する。
【００３３】
端パネルを保持するために、肩パネル２０，２４と、それに接触しているガセットフラップ１２８，１４８の面とを、それぞれ、周知の手段で固定してもよい。さらに、第１のガセットパネル１２８，１４８と第２のガセットパネル１３０，１５０とを、接着剤またはその他周知の手段によって固定してもよい。
【００３４】
安定化スペーサ（または瓶ネック部スペーサ）１６８，１６８ａは、端折り曲げ線１７０，１７２，１７０ａ，１７２ａの間に配置されこれらと略垂直な切断線１７５，１７７，１７５ａ，１７７ａによって形成されている。フラップは、端折り曲げ線１７０，１７２，１７０ａ，１７２ａに沿ってトグル作用により折り曲げ可能であり、こうして頂パネル２２の両端縁に段差部１９１が形成される。この作用は、端パネルを折り曲げてフラップ１９１を使用位置にもって行く際に自動的に行われる。このときフラップは、図３ｂに示すように、頂パネルからカートンの内側に向けて起こされた状態になっている。切断線１７５，１７７，１７５ａ，１７７ａを、製品のネック部に見合った形状に形成してもよい。各安定化フラップ１６８，１６８ａは引き起こされると、隣接する製品ネック部端部の間に配置され、製品をパッケージ内で正しく直立した状態に保つ機能を果たす。安定化フラップ１６８，１６８ａは、特に瓶が内側に向けて倒れるのを防止し、これに対し、端パネルは端縁方向への倒れを防止する。
【００３５】
本実施形態では製品支持保持手段６６も設けられている。周知であるように、製品保持フラップ６８〜７８を内側に向けて折り曲げて受容面を構成する。底パネル１２及び３２を折り曲げて、傾斜角部パネル１４，３０及び下部側面パネル１６，２８のそれぞれとは異なる面内に配置する。図４に示すように、製品Ａの下部が保持手段に形成された開口部から突出し、保持手段６６のフラップ９２，９４によって所定位置に保持されるように、側パネル及び底パネルを対応する製品Ａに接触させる。製品の一部と当接させることによって、製品支持パネル８０〜９０もまた下部側面パネルとは異なる面内に配置され、こうして変位可能領域１９２が形成され、この変位可能領域は側壁１６，２８の面から突出するように設けられて隣接する製品の一部を受容することを理解されたい。図４から分かるように、変位可能領域１９２は複数の接続部分１９４を備え、各接続部分は、隣接する部分とは異なる面を有している。さらに詳細に述べれば、接続部分１９４は、図２及び図４に示すように、弧状の切り出し線１１２，１１４によって形成されている。
【００３６】
次いで、底パネル１２と３２とをオーバーラップさせ、既に述べたように、これらを接続する。こうしてカートンは組立て・装填状態となる。
【００３７】
把手は、図５ａ〜５ｄに示すようにして形成する。把持部分１８０は頂パネル２２から分離可能であり、そのことにより、図５ｂに示すように、帯状把手の少なくとも一部を頂パネルから盛り上がった状態にすることができる。帯材は、図５ｃに示すように、把持部分１８０を使用位置に配置することを可能にするために、たるみを残す形態で、図３ｂに示すように端パネルの対向する両端縁に接続されている。支持パネル１８２，１８４は帯状把手１９０の下に折り曲げられ、こうして図５ｃに示すように把持部分１８０が帯材を包み、把持部分１８０が帯材のためにクッションの役割を果たす。さらに、把持部分１８０は使い易いように構成されている。携行器が携行される際、帯状把手は、図５ｂに示すように、端パネル１２６，１２６ａ及び角部形成部１３９，１５９を内側に引き寄せ、そのことによってカートンのしっかり感を向上させ、自己締付け作用を果たす。
【００３８】
本発明及び本発明の好ましい実施形態は製品携行器に係り、特に、製品をしっかり保持するために十分な強度を有しながら、把手に付与された力を携行器が吸収できる柔軟性を備えているように形成された製品携行器に関するものである。ブランクの形状は必要とされる板紙の量を最小限に抑えるものであり、かつこの携行器は、並べて配置された製品に、手動で、または自動機によって付与可能とされている。本発明は、種々の携行器に適用可能であり、包装タイプに限定されるものではない。例えば、上記に説明したカートンの頂パネル２２、側パネル２０，２４、及び端パネル１１８，１２０は、本発明の範囲を超えることなく頂部把持式カートンに適用可能であり、同様に、製品保持支持手段６６は、他の種類のカートンに適用可能である。
【図面の簡単な説明】
【図１】  包装カートンのブランクの平面図である。
【図２】  カートンの、製品を受け入れて保持する一部分を示す平面図である。
【図３】  図３ａは、図１に示すブランクの上面パネルの斜視図、図３ｂは、端パネルが立設された状態を示す上面パネル内面の斜視図である。
【図４】  図１に示すブランクから形成されたカートンの下部を示す斜視図である。
【図５】  図５ａ〜図５ｄは、図１に示すブランクから形成されたカートンの上部を示す斜視図であり、カートン把手の形成諸段階を示している。
【符号の説明】
１０  カートンブランク
１２，３２  底パネル（折り曲げ可能パネル）
１４，３０  傾斜角部パネル（折り曲げ可能パネル）
１６，２８  下部側面パネル（折り曲げ可能パネル）
１８，２６  上部側面パネル（折り曲げ可能パネル）
２０，２４  肩パネル（折り曲げ可能パネル）
２２  頂パネル（折り曲げ可能パネル）
８０，８２，８４，８６，８８，９０  製品支持パネル（変位可能領域）
１１２，１１４  弧状切断線
１１８，１２０  端パネル
１７４，１７４ａ  トレッドパネル（水平面）
１７６，１７６ａ  立ち上げパネル（垂直面）
１８０  把持部分（把手手段）
１９０  帯状把手（把手手段）
１９１  段差部（安定化スペーサ，内方変位部分，フラップ）
Ａ  製品
【図１】
0004309050.tif 000002
【図２】
0004309050.tif 000003
【図３】
0004309050.tif 000004
【図４】
0004309050.tif 000005
【図５ａ】
0004309050.tif 000006
【図５ｂ】
0004309050.tif 000007
【図５ｃ】
0004309050.tif 000008
【図５ｄ】
0004309050.tif 000009